(57)【特許請求の範囲】
【請求項１】
出入口の床面から外方にわたって形成された収納室と、
上下複数段に折り畳み自在に連結された分割扉を有し、これら分割扉のうち下段の分割扉が、出入口に対応する収納室内に出入口の幅方向の水平軸心周りに回動自在に連結され、収納室にこれら分割扉を折り畳んだ状態で収納される防水扉と、
収納室の上面に開閉自在に設けられた開閉蓋と、
当該開閉蓋を開閉可能な蓋開閉部と、防水扉を引き起こし・折畳み可能な扉開閉部とを有する開閉駆動装置とを具備し、
当該開閉駆動装置の蓋開閉部により開閉蓋を開動して収納室の上面を開放した後、扉開閉部により防水扉を引き起こして展開し起立姿勢で出入口を閉鎖し、さらに蓋開閉部により開閉蓋を閉動して収納室の上面を閉鎖するように構成した
ことを特徴とする防水扉装置。
【請求項２】
出入口の両側に左右一対の支柱体を立設し、
開閉駆動装置は、前記支柱体と収納室とに設けてられて、蓋開閉部により蓋開閉用索体を介して開閉蓋を開閉動可能で、扉開閉部により扉開閉用索体を介して防水扉を引き起こし・折畳み可能に構成された
ことを特徴とする請求項１記載の防水扉装置。
【請求項３】
開閉蓋は、出入口から離れた外方位置に出入口の幅方向の水平心軸周りに回動自在に連結される蓋本体と、当該蓋本体の遊端側で前記蓋本体に出入口の幅方向の水平軸心を中心として折り曲げ自在に設けられたフラップ部とを有し、防水扉が起立姿勢で出入口を閉鎖した時に、前記フラップ部を防水扉に持たれ掛けて傾斜させ、前記蓋本体により収納室の上面を閉鎖するよう構成された
ことを特徴とする請求項１または２記載の防水扉装置。
【請求項４】
分割扉は、下端部が左右の支柱材間に出入口の幅方向の水平軸心周りに回動自在に連結された下段扉と、下段扉の遊端側に連結部材を介して折畳み自在に連結された上段扉からなる
ことを特徴とする請求項１乃至３のいずれかに記載の防水扉装置。
【発明の詳細な説明】
【技術分野】
【０００１】
本発明は、建物や構造物の入口、地下駐車場やエレベータ装置の入口に設置され、高潮や洪水などでオーバーフローした水による浸水を防止する防水扉装置に関する。
【背景技術】
【０００２】
たとえば集中豪雨などで河川が氾濫し道路などに冠水した水は、構造物の入口やエレベータ装置などを通って構造物内、特に地下施設に流入し浸水する。たとえば高潮による被害を軽減するものとして、特許文献１に起伏式の防潮扉が提案されている。この特許文献１では、開放された倒伏姿勢で起伏扉が凹部の上面を覆っており、閉鎖された起立姿勢では凹部が開放され、人が落下する恐れがある。このため、起伏扉に連動して凹部の周縁で起立可能な防護柵を設けている。
【特許文献１】特開平１１−１４０８４３号公報（図１）
【発明の開示】
【発明が解決しようとする課題】
【０００３】
しかし、従来の防潮扉では、防護柵により人が凹部に落下するような危険はなくなるものの、たとえば限られたスペースに設置された場合、防護柵が避難通路のスペースを削減することになり、防水扉が閉鎖された後の避難誘導に支障を来すという問題があった。
【０００４】
そこで、本発明は、床面のスペースを削減することなく安全を確保できる防水扉装置を提供することを目的としたものである。
【課題を解決するための手段】
【０００５】
前述した目的を達成するために、請求項１記載の発明は、出入口の床面から外方にわたって形成された収納室と、上下複数段に折り畳み自在に連結された分割扉を有し、これら分割扉のうち下段の分割扉が、出入口に対応する収納室内に出入口の幅方向の水平軸心周りに回動自在に連結され、収納室にこれら分割扉を折り畳んだ状態で収納される防水扉と、収納室の上面に開閉自在に設けられた開閉蓋と、当該開閉蓋を開閉可能な蓋開閉部と、防水扉を引き起こし・折畳み可能な扉開閉部とを有する開閉駆動装置とを具備し、当該開閉駆動装置の蓋開閉部により開閉蓋を開動して収納室の上面を開放した後、扉開閉部により防水扉を引き起こして展開し起立姿勢で出入口を閉鎖し、さらに蓋開閉部により開閉蓋を閉動して収納室の上面を閉鎖するように構成したものである。
【０００６】
請求項２記載の発明は、請求項１記載の構成において、出入口の両側に左右一対の支柱体を立設し、開閉駆動装置は、前記支柱体と収納室とに設けてられて、蓋開閉部により蓋開閉用索体を介して開閉蓋を開閉動可能で、扉開閉部により扉開閉用索体を介して防水扉を引き起こし・折畳み可能に構成されたものである。
【０００７】
請求項３記載の発明は、請求項１または２記載の構成において、開閉蓋は、出入口から離れた外方位置に出入口の幅方向の水平心軸周りに回動自在に連結される蓋本体と、当該蓋本体の遊端側で前記蓋本体に出入口の幅方向の水平軸心を中心として折り曲げ自在に設けられたフラップ部とを有し、防水扉が起立姿勢で出入口を閉鎖した時に、前記フラップ部を防水扉に持たれ掛けて傾斜させ、前記蓋本体により収納室の上面を閉鎖するよう構成されたものである。
【０００８】
請求項４記載の発明は、請求項１乃至３のいずれかに記載の構成において、分割扉は、下端部が左右の支柱材間に出入口の幅方向の水平軸心周りに回動自在に連結された下段扉と、下段扉の遊端側に連結部材を介して折畳み自在に連結された上段扉からなるものである。
【発明の効果】
【００１０】
請求項１記載の発明によれば、開閉駆動装置により、蓋開閉部で開閉蓋を開動して収納室の上面を開放した後、扉開閉部で収納室内の折畳まれた分割扉を引き起し展開して出入口を閉じ、さらに蓋開閉部で開閉蓋を閉動して収納室の上面を閉鎖するように構成したので、狭い床面のスペースに収納室が形成されていても、収納室上を開閉蓋の上を通って人を避難誘導することができ、防水扉による出入口の閉鎖後であっても、人を安全に避難誘導することができる。また、防水扉を折畳み自在な複数の分割扉により構成したので、収納室の占有スペースを削減することができ、全体をコンパクトに構成することができる。
【００１１】
請求項２記載の発明によれば、支柱体と収納室とに、蓋開閉用索体により開閉蓋を開閉する蓋開閉部と、扉開閉用索体により防水扉を開閉する扉開閉部とを有する開閉駆動装置を設けることで、防水扉装置を簡単な構造でコンパクトに構成することができる。
【００１２】
請求項３記載の発明によれば、蓋本体の遊端側に折り曲げ自在なフラップ部を有する開閉蓋により、防水扉が起立される出入口の閉鎖状態で、収納室の上面が変化することがあっても、収納室の上面を確実に閉鎖して安全性を向上させることができる。
【発明を実施するための最良の形態】
【００１５】
以下、本発明の実施の形態を図面に基づいて説明する。
図１に示すように、近年、地下階から地上階に設置されたエレベータ装置１では、その出入口にバリアフリー対策として段差が削除されている。このため、台風や集中豪雨時などにオーバーフロー水がエレベータ装置１に流入しやすくなっており、これを防止するために本発明に係る防水扉装置２が設置されている。
【００１６】
この防水扉装置２は、駆動源として商業電源でもよいが、非常時に停電するおそれがあることから、エレベータ装置１の建屋３の屋根に設置された太陽光発電用セル４と充電電池５と直流−交流変換器（インバータ）６が使用される。
【００１７】
図６，図７に示すように、この防水扉装置２は、エレベータ装置１で開閉扉８を有する出入口７の両側に左右の支柱体１１Ｌ，１１Ｒ設置され、支柱体１１Ｌ，１１Ｒ間の床面から外方にわたって収納室１２が形成されている。この収納室１２には、防水扉１３と、収納室１２の上面１２ａを覆う開閉蓋１４とがそれぞれ開閉自在に配設され、また左右の支柱体１１Ｌ，１１Ｒと支柱体１１Ｌ，１１Ｒの底部間の収納室１２には、防水扉１３と開閉蓋１４とをそれぞれ開閉する開閉駆動装置１５が収容されている。
【００１８】
前記防水扉１３は、たとえば２段扉で構成され、収納室１２に引き起こし自在に連結された下段扉（分割扉）１３ｂと、下段扉１３ｂの遊端側に連結部材１３ｃを介して折畳み自在に連結された上段扉（分割扉）１３ａとで構成されている。そして、下段扉１３ｂの下端部は、収容室１２内で支柱体１１Ｌ，１１Ｒ間に設けられた四角筒状の横フレーム１２ａに基端ヒンジ１３ｄを介して出入口の左右方向（幅方向）の水平軸心周りに回動自在に連結されている。また連結部材１３ｃは左右方向に配置された四角筒体で、下段扉１３ｂの遊端部に中間下ヒンジ１３ｅと、左右一対の折り曲げリンク１３ｆを介して回動自在に連結されるとともに、上段扉１３ａの基端部に中間上ヒンジ１３ｇを介して回動自在に連結され、連結部材１３ｃを中心として折畳み自在に構成されている。さらに連結部材１３ｃの内面には、閉鎖時に閉鎖用リミットスイッチをオンさせる突片１３ｈが突設されている。さらに上段扉１３ａの両側で内面中間位置には、連結部材を介して扉開閉用ロープ１６が連結されている。なお、左右の支柱体１１Ｌ，１１Ｒと横フレーム１２ａの前面には、防水扉１３が密接される水密ゴム１７が取り付けられている。
【００１９】
前記開閉蓋１４は、出入口７から離れた収納室１２の上面位置に蓋基端ヒンジ１４ｃを介して左右方向の水平心軸周りに開閉自在に連結された蓋本体１４ａと、この蓋本体１４ａの遊端側に、蓋遊端ヒンジ１４ｄを介して蓋基端ヒンジ１４ｃと平行な軸心周りに折り曲げ自在な連結されたフラップ部１４ｂとで構成されている。
【００２０】
図６〜図１０に示すように、前記開閉駆動装置１５は、防水扉１３を開閉する左右の扉開閉部１５ａと、開閉蓋１４を開閉する左右の蓋開閉部１５ｂとで構成されている。前記扉開閉部１５ａは、右の支柱体１１Ｒ内に配置された扉開閉モータ２１と、左右の支柱体１１Ｌ，１１Ｒの中間位置に設置され、扉開閉モータ２１によりチェーンとスプロケットからなる扉用巻き掛け伝動機構２２Ａと扉用伝動軸２２Ｂとを介して同期して正逆回転駆動される左右のワイヤドラム２３Ｌ，２３Ｒと、左右のワイヤドラム２３Ｌ，２３Ｒからそれぞれ巻き取り繰り出しされる扉開閉用索体（ワイヤロープ）１６とで構成され、扉用伝動軸２２Ｂは図９に示すように、支柱体１１Ｌ，１１Ｒの下端部間の空間を連通する連通空間内に配設されている。したがって、開閉駆動装置１５の蓋開閉部１５ｂにより開閉蓋１４が開放されている状態で、扉開閉モータ２１により扉用巻き掛け伝動機構２２Ａおよび扉用伝動軸２２Ｂを介して右と左のワイヤドラム２３Ｒ，２３Ｌを回転駆動して、左右のワイヤドラム２３Ｌ，２３Ｒに扉開閉用索体１４をそれぞれ巻き取りまたは繰り出しして防水扉１３を開閉することができる。
【００２１】
蓋開閉部１５ｂは、防水扉１３が扉開閉用索体１６を介して収納室１２から引き起される前に、開閉蓋１４を開動して収納室１２の上面を開放するとともに、防水扉１３が引き起されて出入口７を閉鎖した後に、開閉蓋１４を閉動して収納室１２の上面を閉鎖するもので、左の支柱体１１Ｌ内に配置された蓋開閉モータ２４と、左右の支柱体１１Ｌ，１１Ｒに上部から中間部にわたってチェーンとスプロケットからなる昇降ガイド機構２５とガイド部材とに案内されるカウンタウェイト２６と、扉開閉モータ２４により蓋用伝動軸２７Ｂと協働して昇降ガイド機構２５を駆動し左右のカウンタウェイト２６を昇降移動させるチェーンとスプロケットからなる蓋用巻き掛け伝動機構２７Ａと、フラップ部１４ｂの遊端部とカウンタウェイト２６との間に連結された蓋開閉用索体（ワイヤロープ）２８とで構成されている。そして前記蓋開閉用索体２８は、支柱体１１Ｌ，１１Ｒの上端側に設けられた転向シーブ２９とガイドシーブ３０を介してカウンタウェイト２６に連結されている。なお、防水扉１３の上端部に設けられた防護シーブ１３ｉは、防水扉１３の上端部と蓋開閉用索体２８の接触を防止するためのものである。
【００２２】
次に上記構成における出入口７の開放動作を説明する。
ａ．大雨や高潮などの警報が出されると、エレベータ装置１の管理室（図示せず）から操作器を操作して、エレベータ装置１を停止するとともに、防水扉装置２に閉鎖指令信号が出力される。
【００２３】
ｂ．この閉鎖指令信号により、図２（ａ），図４（ａ）に示す開放状態から、まず蓋開閉用モータ２４が起動され、蓋用巻き掛け伝動機構２７Ａ、蓋用連動軸２７Ｂおよび昇降ガイド機構２５を介して上限位置にある左右のカウンタウェイト２６をそれぞれ下降させ、左右の蓋開閉用索体２８をそれぞれ引き込むことにより、転向シーブ２９およびガイドシーブ３０を介して開閉蓋８を開動する。まず図２（ｂ），図４（ｂ）に示すように、フラップ部１４ｂが蓋遊端ヒンジ１４ｄを中心に上方に回動される。そして、図２（ｃ），図４（ｃ）に示すように、蓋本体１４ａが蓋基端ヒンジ１４ｃを中心に上方に回動される。左右のカウンタウェイト２６が下限位置に達すると、開閉蓋１４が蓋基端ヒンジ１４ｃから転向シーブ２９に至る直線状の傾斜姿勢となり収納室１２の上面１２ａが開放される。
【００２４】
ｃ．扉開閉モータ２１を起動し、扉用巻き掛け伝動機構２２を介して左右のワイヤドラム２３が巻き取り方向に回転駆動され、左右の扉開閉索体１６が同期して巻き取られる。これにより、図２（ｄ），図４（ｄ）に示すように、収納室１２内に折畳まれた防水扉１３のうち、まず上段扉１３ａが中間上ヒンジ１３ｇを中心に上方に引き起されｗ、上段扉１３ａが中間上ヒンジ１３ｇからワイヤドラム２３に至る方向に傾斜する姿勢となる。さらに扉開閉索体１６がワイヤドラム２３に巻き取られると、上段扉１３ａを介して下段扉１３ｂが基端ヒンジ１３ｄを中心に上方に引き起され、図３（ｅ），図５（ｅ）に示すように、上段扉１３ａの遊端に設けられたスライドシーブ１３ｋが左右の支柱体１１Ｒ，１１Ｌの前面に当接される。さらに扉開閉索体１６がワイヤドラム２３に巻き取られると、上段扉１３ａの中間部が支柱体１１Ｒ，１１Ｌ側に引き出され、上段扉１３ａと下段扉１３ｂが中間の上下ヒンジ１３ｅ，１３ｇを中心に広げられてそれぞれ起立姿勢となり、図３（ｆ），図５（ｆ）に示すように、上段扉１３ａと下段扉１３ｂの両側が支柱体１１Ｒ，１１Ｌ前面と横フレーム１２ａの前面の水密ゴム１７に密着される。
【００２５】
ｄ．蓋開閉用モータ２４が逆転駆動され、蓋用巻き掛け伝動機構２７Ａと巻き掛け昇降機構２５を介して下限位置にある左右のカウンタウェイト２６を上昇させ、左右の蓋開閉用のワイヤロープ２８をそれぞれ弛ませることにより、転向シーブ２９を介して開閉蓋８を閉動させる。そして、図３（ｇ），図５（ｇ）に示すように、蓋本体１４ａが収納室１２の上面に着地し、さらに蓋開閉用のワイヤロープ２８を緩めてフラップ部１４ｂの遊端が下段扉１３ｂに持たれ掛けさせた傾斜状態で、出入口７の閉鎖が完了する。
【００２６】
これにより、防水扉１３を引き起した後の収納室１２の上面を、開閉扉１４により閉鎖できることから、収納室１２が設けられたスペースを削減することがなく、防水扉装置２に面するスペースが狭くても、避難や誘導の障害になることがない。
【００２７】
防水扉装置２による出入口７の開放動作は、上記と逆の手順で行われる。
ｅ．警報などが解除されると、蓋開閉用モータ２４を正転駆動して蓋用巻き掛け伝動機構２７Ａを介して左右のカウンタウェイト２６を下降させ、左右の蓋開閉用のワイヤロープ２８をそれぞれ引き込むことにより、転向シーブ２９を介して開閉蓋８を開動する。そして、開閉蓋１４が蓋基端ヒンジ１４ｃから転向シーブ２９に至る傾斜姿勢として収納室１２の上面を開放する。
【００２８】
ｆ．扉開閉モータ２１を起動し、扉用巻き掛け伝動機構２２を介して左右のワイヤドラム２３が繰り出し方向に逆転回転され、左右の扉開閉索体１６が同期して繰出される。これにより、出入口７を閉鎖する防水扉１３が連結部材１３ｃを中心に折畳まれるとともに基端ヒンジ１３ｄを中心下方に倒伏され、まず下段扉１３ｂが収納室１２内に着底され、さらに上段扉１３ａが下段扉１３ｂ上に折畳まれ収容される。
【００２９】
ｇ．蓋開閉用モータ２４が逆転駆動されて蓋用巻き掛け伝動機構２７Ａと巻き掛け昇降機構２５を介してカウンタウェイト２６が上昇される。これにより、左右の蓋開閉用のワイヤロープ２８がそれぞれ同期して弛み、転向シーブ２９を介して開閉蓋８が閉動される。そして、蓋本体１４ａが収納室１２の上面に着地し、さらにフラップ部１４ｂが収納室１２の上面に着地して収納室１２の上面が閉鎖される。
【００３０】
上記実施の形態によれば、開閉駆動装置１５の扉開閉部１５ａにより、収納室１２から防水扉１３を引き起して出入口７を閉じた後に、開閉駆動装置１５の蓋開閉部１５ｂにより、開閉蓋１４を閉じて収納室１２の上面を閉鎖するように構成したので、狭い床面のスペースに収納室１２が形成されていても、出入口７を防水扉１３により閉じた後に開閉蓋１４の上を通って人を避難誘導することができ、防水扉１３による出入口７の閉鎖後であっても人を安全に避難誘導することができる。
【００３１】
また開閉駆動装置１５の蓋開閉部１５ｂにより、蓋開閉用索体２８を介して開閉蓋１４を開動し収納室１２の上面を開放した後、開閉駆動装置１５の扉開閉部１５ａにより、扉開閉用索体１６を介して収納室１２から防水扉１３を引き起して出入口７を閉じた後、さらに蓋開閉部１５ｂにより蓋開閉用索体２８を緩めることで開閉蓋１４の蓋本体１４ａで収納室１２の上面を閉鎖するように構成したので、防水扉１３が引き起されることで収納室１２の開放された上面が変形されても、遊端側のフラップ部１４ｂを防水扉１３に持たせ掛けた状態で、蓋開閉部１５ｂにより収納室１２の上面を開閉することができる。
【００３２】
さらに左右一対の支柱体１１Ｒ，１１Ｌに開閉駆動装置の扉開閉部１５ａと蓋開閉部１５ｂとを設けて、収納室１２の下端部間に、左右の動力を連動する連動軸２２Ｂ，２７Ｂを設けたので、防水扉装置を簡単な構造でコンパクトに構成することができる。
【００３３】
さらにまた、防水扉１３を、連結部材１３ｃを介して折畳み自在な上段扉１３ａと下段扉１３ｂとで構成したので、収納室１２の占有スペースを削減することができ、全体をコンパクトに構成することができる。
【図面の簡単な説明】
【００３４】
【図１】本発明に係る防水扉装置の実施の形態を示し、設置状態を示す側面断面図である。
【図２】（ａ）〜（ｄ）はそれぞれ開閉扉の開閉手順を示す概略斜視面図である。
【図３】（ｅ）〜（ｇ）はそれぞれ開閉扉の開閉手順を示す概略斜視図である。
【図４】（ａ）〜（ｄ）はそれぞれ開閉扉の開閉手順を示す側面断面図である。
【図５】（ｅ）〜（ｇ）はそれぞれ開閉扉の開閉手順を示す側面断面図である。
【図６】同防水扉装置の支柱部を示す正面断面図である。
【図７】図６に示すＡ−Ａ断面図である。
【図８】図６に示すＣ−Ｃ断面図である。
【図９】図６に示すＢ−Ｂ断面図である。
【図１０】閉鎖状態のＡ−Ａ断面図である。
【図１１】閉鎖状態の正面図である。
【符号の説明】
【００３５】
７    出入口
１１Ｒ，１１Ｌ  支柱体
１２    収納室
１２ａ  上面
１３    防水扉
１３ａ  上段扉
１３ｂ  下段扉
１３ｃ  連結部材
１４    開閉蓋
１４ａ  蓋本体
１４ｂ  フラップ部
１５    開閉駆動装置
１５ａ  扉開閉部
１５ｂ  蓋開閉部
１６    扉開閉用索体
１７    水密ゴム
２１    扉開閉モータ
２２Ａ  扉用巻き掛け伝動機構
２２Ｂ  扉用伝動軸
２３    ワイヤドラム
２４    蓋開閉用モータ
２５    昇降ガイド機構
２６    カウンタウェイト
２７Ａ  蓋用巻き掛け伝動機構
２７Ｂ  蓋用伝動軸
２８    蓋開閉用索体
【図１】
0004148863.tif 000002
【図２】
0004148863.tif 000003
【図３】
0004148863.tif 000004
【図４】
0004148863.tif 000005
【図５】
0004148863.tif 000006
【図６】
0004148863.tif 000007
【図７】
0004148863.tif 000008
【図８】
0004148863.tif 000009
【図９】
0004148863.tif 000010
【図１０】
0004148863.tif 000011
【図１１】
0004148863.tif 000012